【事件の表示】
　特願２００１−　１５８２９「弾球遊技機」拒絶査定不服審判事件〔平成１４年　７月３０日出願公開、特開２００２−２１００９９〕について、次のとおり審決する。
【結　論】
　本件審判の請求は、成り立たない。
【理　由】
１．手続の経緯　
　本願は、平成１３年１月２４日に出願されたものであって、平成１５年１０月１日付けの拒絶理由通知に対し平成１５年１２月８日付けで手続補正がなされ、平成１５年１２月２６日付けで拒絶査定がなされ、これに対し、平成１６年２月４日に拒絶査定不服の審判請求がなされたものであり、その後、当審から平成１９年５月２８日付けで拒絶理由が通知され、これに対し、平成１９年７月２０日付けで手続補正がなされたものである。
　
２．本願発明
　本願の請求項１に係る発明（以下、「本願発明」という。）は、平成１９年７月２０日付けの手続補正によって補正された明細書の記載からみて、その特許請求の範囲の請求項１に記載された、以下のとおりのものである。
　
「作動口と、該作動口に遊技球が進入したことを必須条件として作動して大当たりか否かの抽選結果を表示する図柄表示装置と、該図柄表示装置の液晶盤に大当たり図柄が静止表示されると開始される特別遊技中に連続開放されるアタッカー式の大入賞口とを遊技領域に配置し、前記図柄表示装置の横幅が前記大入賞口の横幅以上の弾球遊技機において、
　前記遊技領域を上下方向について３等分して上から順に上位部、中位部、下位部とした際の前記中位部から下位部にかけて前記図柄表示装置を配置し、
　該図柄表示装置の上方であって前記上位部に前記作動口を配置し、
　前記作動口の上方には他の入賞口は配置せず、
　前記作動口を通過口とし、
　前記作動口の下方で前記図柄表示装置の上方に前記大入賞口を配置した
ことを特徴とする弾球遊技機。」
　
３．引用刊行物とそれに記載の発明
（１）引用例１とそれに記載の発明
i.　当審拒絶理由で引用した特公平７−９６０５５号公報（以下、「引用例１」という。）には、図面とともに以下の事項が記載されている。
　
「遊技板（１）前面の遊技部（21）内に一定時間に多数の入賞球の飛入を可能にする特定入賞装置（22）と、この特定入賞装置の開放条件の組合せを表示する表示装置（23）とを備えてなるパチンコ機において、上記遊技板（１）には遊技部（21）内に配置される入賞口（24）の最下部の入賞口の配置位置に等しいかそれより下の区域に取付穴（45）を開設し、該取付穴（45）に前面側から前記表示装置（23）を臨ませその表示体（43）を上向き傾斜に嵌め入れ設置する一方、上記表示体（43）の前面を被うカバー（42）の上部部分（42a）を山形に隆起させ遊技板（１）の前面に突出させて表示体（43）下部の透明部分（42b）を落下球から保護してなることを特徴としたパチンコ機。」（請求項１）
　
「22は遊技部21の中央部に設置した特定入賞装置で、23は入賞装置の下方に設置した表示装置である。
遊技部21の適所には他の入賞口24が配置してあり、特定入賞装置22の上方にはこの入賞装置の開放を促す始動飛入口25が横一列に間隔をおいて３個設けてある。
表示装置23は遊技部21の最下部に設けせられるアウト球口26の直上に位置し、入賞口として最も下に配置される２個の入賞口24とほぼ肩を並べるようにしてある。
特定入賞装置22はその他の入賞口24に対し、多数の打球の飛入を可能にしたもので、ここでは左右に一対の飛入口27を有すると共に、この両飛入口の間に支軸28を支点に開閉自由に枢着する扉29を備えた飛入口30を備え、ソレノイド31の励磁によってこの扉29を開放できるようにしてある。」（第２頁第４欄第４２行乃至第３頁第５欄）
　
「さて、表示装置23は始動飛入口25に打球が飛入したとき作動し、ここでは横に並べた３つの表示体43に表わした数字を異る速度で０〜９に循環変更させるようにしてこれを遊技者の意志により、または予じめ定めた時間で停止させたとき予じめ設定しておいた数字，模様の組合せが出来るのを待って前記特定入賞装置22の扉29を開放作動させるようにしてある。そして、一定時間経過したとき、又は予じめ設定した数の打球の飛入があったとき扉29を閉塞し、再び開放条件が整うのを待機させるようにしてある。」（第３頁第６欄第１１行乃至第２０行）
　
　また、第２図の記載より、表示装置23の横幅が扉29の横幅より大きいことが認められる。
　
　さらに、第２図の記載より、遊技部21を上下方向について３等分して上から順に上位部、中位部、下位部とした際の前記下位部に表示装置23を配置したことが認められる。
　
ii. 前記摘示の記載及び図面並びに前記認定事項によれば、引用例１には、以下の発明（以下、「引用発明１」という。）が記載されているものと認められる。
　
「始動飛入口25と、該始動飛入口25に打球が飛入したときに作動し、特定入賞装置22の開放条件の組合せを表示する表示装置23と、該表示装置23に予め設定しておいた数字，模様の組合せが出来るのを待って扉29を開放作動させる特定入賞装置22に備えられた飛入口30とを遊技部21に配置し、前記表示装置23の横幅が前記扉29の横幅より大きいパチンコ機において、
　遊技部21を上下方向について３等分して上から順に上位部、中位部、下位部とした際の前記下位部に表示装置23を配置し、
　表示装置23は入賞装置の下方に設置され、
　特定入賞装置22の上方に始動飛入口25が設けられた
パチンコ機。」
　
（２）引用例２とそれに記載の発明
　当審拒絶理由で引用した特開２０００−３２５５８０号公報（以下、「引用例２」という。）には、図２の記載より、
「遊技領域を上下方向について３等分して上から順に上位部、中位部、下位部とした際の中位部から下位部にかけて可変表示装置13を配置したパチンコ機」
（以下、「引用発明２」という。）が、記載されているものと認められる。
　
４．対比判断
（１）対比
　本願発明と引用発明１とを対比すると、引用発明１の「始動飛入口25」は本願発明の「作動口」に、以下同様に、「打球」は「遊技球」に、「表示装置23」は「図柄表示装置」に、「表示装置23に予め設定しておいた数字，模様の組合せが出来るのを待って扉29を開放作動させる特定入賞装置22に備えられた飛入口30」は「図柄表示装置の液晶盤に大当たり図柄が静止表示されると開始される特別遊技中に連続開放されるアタッカー式の大入賞口」に、「遊技部21」は「遊技領域」に、「パチンコ機」は「弾球遊技機」に、それぞれ相当する。
　
　また、引用発明１では、表示装置23は、始動飛入口25に打球が飛入したときに作動するものであるから、作動口に遊技球が進入したことを必須条件として作動するものと言える。また、特定入賞装置22の開放条件の組合せを表示することは、技術常識から、大当りか否かの抽選結果を表示することであると言える。
　
　さらに、引用発明１では、表示装置23は入賞装置の下方に設置され、特定入賞装置22の上方に始動飛入口25が設けられたので、図柄表示装置の上方に作動口を配置したと言え、また、作動口の下方で図柄表示装置の上方に大入賞口を配置したと言える。
　
　そうすると、本願発明と引用発明１の両者は、以下の点でそれぞれ、一致並びに相違するものと認められる。
　
　一致点
「作動口と、該作動口に遊技球が進入したことを必須条件として作動して大当たりか否かの抽選結果を表示する図柄表示装置と、該図柄表示装置の液晶盤に大当たり図柄が静止表示されると開始される特別遊技中に連続開放されるアタッカー式の大入賞口とを遊技領域に配置した弾球遊技機において、
　前記図柄表示装置の上方に前記作動口を配置し、
　前記作動口の下方で前記図柄表示装置の上方に前記大入賞口を配置した
弾球遊技機。」である点。
　
　相違点１
　本願発明では、前記図柄表示装置の横幅が前記大入賞口の横幅以上であるのに対し、引用発明１では、前記表示装置23の横幅が前記扉29の横幅より大きい点。
　
　相違点２
　本願発明では、遊技領域を上下方向について３等分して上から順に上位部、中位部、下位部とした際の中位部から下位部にかけて図柄表示装置を配置するのに対し、引用発明では、下位部に図柄表示装置を配置する点。
　
　相違点３
　本願発明では、上位部に作動口を配置し、作動口の上方には他の入賞口を配置せず、作動口を通過口としたのに対し、引用発明１では、そのように構成されていない点。
　
（２）判断
i.　相違点１について
　引用発明１において、飛入口30は扉29によって開閉されるものであるから、飛入口30の横幅は、扉29の横幅より狭くされるべきである。したがって、引用発明１においても、表示装置23の横幅が飛入口30の横幅以上であると言える。仮に、引用発明において、表示装置23の横幅が飛入口30の横幅以上であると言えないとしても、図柄表示装置の横幅を大入賞口の横幅以上とすることは、例えば引用例２に記載されているように周知技術であるから、引用発明１の表示装置23の横幅を飛入口30の横幅以上とすることは、当業者が容易に想到できるものである。
　
ii. 相違点２について
　本願発明と引用発明２とを対比すると、引用発明２の「可変表示装置13」は本願発明の「図柄表示装置」に、同様に「パチンコ機」は「弾球遊技機」に相当する。してみると、引用例２には、弾球遊技機において遊技領域の中位部から下位部にかけて図柄表示装置を配置することが記載されているから、引用発明１の弾球遊技機において遊技領域の中位部から下位部にかけて図柄表示装置を配置するようになすことは、当業者が容易に想到できるものである。
　
iii.　相違点３について
　弾球遊技機の分野において、当たりか否かを抽選するための必須条件となる作動口を、上位部に配置し、作動口の上方には他の入賞口を配置せず、さらに作動口を通過口とすることは、周知技術である（例えば、特開平４−１１７９８０号公報［第５頁右上欄第１８行乃至左下欄第６行］、特開平４−２００４８７号公報［第２頁左下欄第１６行乃至右下欄第４行］参照）。したがって、引用発明１において、飛入口30を上位部に配置し、飛入口30の上方には他の入賞口を配置せず、飛入口30を通過口とすることは、当業者が容易に想到できるものである。
　
iv. 作用効果について
　本願発明の作用効果は、引用発明１、引用発明２及び周知技術に基づいて、当業者が容易に予測できるものである。
　
５．むすび
　以上のとおり、本願の請求項１に係る発明は、引用例１、２に記載された発明及び周知技術に基づいて、当業者が容易に発明をすることができたものであるから、特許法第２９条第２項の規定により特許を受けることができない。
　
　よって、結論のとおり審決する。